(57)【要約】      （修正有）【課題】ユーザＩＤとペンＩＤとを適切に関連付けることが可能な電子ペン収容ユニット及び電子ペンシステムを提供する。【解決手段】電子ペン収容ユニット３は、コード化パターンに関する記入情報を生成する電子ペン１Ａ〜１Ｄを収容させた状態で、用紙に印刷された所定のコード化パターンを電子ペンに読み取らせる電子ペン収容ユニットであって、電子ペンを収容する複数の収容孔３１Ａ〜３１Ｄと、収容孔の各々と連通し、収容孔よりも下部に設けられた用紙配置部と、用紙配置部に用紙を配置するための挿入孔３３とを備える。【選択図】図９
0003171421.tif 000002
【実用新案登録請求の範囲】
【請求項１】
コード化パターンに関する記入情報を生成する電子ペンを収容させた状態で、用紙に印刷された所定のコード化パターンを前記電子ペンに読み取らせる電子ペン収容ユニットであって、
前記電子ペンを収容する複数の収容孔が形成され、
前記収容孔の各々と連通し、前記収容孔よりも下部に設けられた用紙配置部と
を備えることを特徴とする電子ペン収容ユニット。
【請求項２】
前記用紙配置部に前記用紙を配置するための挿入孔がさらに形成されていることを備えることを特徴とする請求項１に記載の電子ペン収容ユニット。
【請求項３】
前記用紙配置部に前記用紙が配置された状態において、
前記収容孔に収容された電子ペンのペン先部の位置を、当該電子ペンが前記用紙のコード化パターンを読み取ることができない位置と、当該電子ペンが前記用紙のコード化パターンを読み取ることが可能な位置との間で移動させるペン先位置調整機構をさらに備えることを特徴とする請求項１又は２に記載の電子ペン収容ユニット。
【請求項４】
前記ペン先位置調整機構は、
前記収容孔と前記用紙配置部とを結ぶ方向に移動可能な取っ手部と、
前記取っ手部と接続し、前記収容孔に収容された電子ペンのペン先部を挟持するための孔が設けられた平板部と、
前記取っ手部に圧力が加えられていない状態において、前記平板部に挟持された電子ペンのペン先部と、前記用紙配置部に配置された用紙とが離隔するように前記平板部を支持する弾性体と
を備えることを特徴とする請求項３に記載の電子ペン収容ユニット。
【請求項５】
前記弾性体はコイルバネであり、
前記コイルバネが形成する螺旋の中心を通り、かつ、前記平板部を垂直方向へ貫通し、前記平板部が前記垂直方向へ平行移動するように前記平板部の移動を規制するガイド部を備えることを特徴とする請求項４に記載の電子ペン収容ユニット。
【請求項６】
前記収容孔ごとに、取り外し可能なネームプレートが設けられていることを特徴とする請求項１乃至５のうちいずれか一項に記載の電子ペン収容ユニット。
【請求項７】
用紙に印刷されたコード化パターンを読み取ってペン先部の位置座標を演算し、当該位置座標とペンＩＤとを含む記入情報を生成する電子ペンと、
前記電子ペンにより読み取り可能なコード化パターンが印刷され、ユーザＩＤと関連付けられたエリアを有する名簿用紙と、
前記電子ペンを収容させた状態で、前記名簿用紙の前記エリアに印刷された所定のコード化パターンを前記電子ペンに読み取らせる請求項１乃至６のいずれか一項に記載の電子ペン収容ユニットと、
前記電子ペンによって送信される記入情報を受信するコンピュータ装置とを備えることを特徴とする電子ペンシステム。
【請求項８】
前記エリアは、前記名簿用紙が前記用紙配置部に配置された際に、前記収容孔の各々と位置が対応するようにそれぞれ設けられ、
前記コンピュータ装置は、
ユーザＩＤと、当該ユーザＩＤに対応するエリアに印刷されたコード化パターンが示す位置座標とを関連付けて記憶する記憶手段と、
前記名簿用紙についての前記記入情報を受信すると、前記記憶手段を参照して、当該記入情報に含まれる位置座標からユーザＩＤを特定し、当該記入情報に含まれるペンＩＤと特定したユーザＩＤとを関連付けて前記記憶手段に記憶させる処理手段と
を備えることを特徴とする請求項７に記載の電子ペンシステム。
【請求項９】
前記電子ペンにより読み取り可能なコード化パターンが印刷された記入用紙をさらに備え、
前記処理手段は、ペンＩＤとユーザＩＤとを関連付けて前記記憶手段に記憶させた後、前記記入用紙についての記入情報を受信すると、当該記入情報の位置座標に基づいて表示手段に記入内容を表示させるとともに、当該記入情報に含まれるペンＩＤに関連付けられたユーザＩＤに対応する記入者名を表示させることを特徴とする請求項８に記載の電子ペンシステム。
【請求項１０】
前記処理手段は、
前記名簿用紙についての前記記入情報を送信している電子ペンの数が所定数以上になった場合に、当該電子ペンのペンＩＤとユーザＩＤとを関連付けて前記記憶手段に記憶させることを特徴とする請求項８または９に記載の電子ペンシステム。
【考案の詳細な説明】
【技術分野】
【０００１】
本考案は、電子ペンを収容可能な電子ペン収容ユニットと、これを用いた電子ペンシステムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、特許文献２には、ドットパターンに対向する電子ペンの角度に起因するドットの画像上の配列を補正する回転補正処理機能について記載されている。さらに、特許文献３には、複数の電子ペンから送信される記入情報に基づいて、ストロークを描画する協働学習システムにおいて、ユーザＩＤとペンＩＤとを関連付ける名簿用紙が開示されている。また、特許文献４には、電子ペンが載置された場合に電子ペンから記入情報を受信したり充電を行ったりするクレードルの構造が開示されている。
【先行技術文献】
【特許文献】
【０００４】
【特許文献１】特許第３８７２４９８号公報
【特許文献２】特表２００３−５２９８５３号公報
【特許文献３】特開２００９−２５１９２５号公報
【特許文献４】特開２００６−２６０３４５号公報
【考案の概要】
【考案が解決しようとする課題】
【０００５】
ユーザＩＤとペンＩＤとを関連付ける際に名簿用紙を用いる場合、電子ペンの数が多いと、各電子ペンについて名簿用紙の所定の欄にタップする操作が煩雑となり、かつ、タップする場所が重複してしまうなどの操作ミスなども生じやすくなる。そこで、本考案は、ユーザＩＤとペンＩＤとを適切に関連付けることが可能な電子ペン収容ユニット及び電子ペンシステムを提供することを主な目的とする。
【課題を解決するための手段】
【０００６】
本考案に係る電子ペン収容ユニットは、コード化パターンに関する記入情報を生成する電子ペンを収容させた状態で、用紙に印刷された所定のコード化パターンを前記電子ペンに読み取らせる電子ペン収容ユニットであって、前記電子ペンを収容する複数の収容孔が形成され、前記収容孔の各々と連通し、前記収容孔よりも下部に設けられた用紙配置部とを備える。
【０００７】
この構成により、ユーザＩＤとペンＩＤとを関連付けるための名簿用紙を電子ペン収容ユニットの用紙配置部に配置させて、電子ペンを収容孔に収容させることにより、用紙に印刷された所定のコード化パターンを電子ペンに読み取らせることができる。そのため、ペンＩＤとユーザＩＤとを関連付けることができる。従って、電子ペン収容ユニットは、ペンＩＤとユーザＩＤとを関連付ける際に、各電子ペンについて名簿用紙の所定の欄にタップするという煩雑な操作が不要となり、かつ、タップする場所が重複してしまうなどの操作ミスなども防ぐことができる。
【０００８】
上記電子ペン収容ユニットの一態様では、前記用紙配置部に前記用紙を配置するための挿入孔がさらに形成されている。この構成により、挿入孔を通じて簡易に用紙を用紙配置部に配置することができる。
【０００９】
上記電子ペン収容ユニットの一態様では、前記用紙配置部に前記用紙が配置された状態において、前記収容孔に収容された電子ペンのペン先部の位置を、当該電子ペンが前記用紙のコード化パターンを読み取ることができない位置と、当該電子ペンが前記用紙のコード化パターンを読み取ることが可能な位置との間で移動させるペン先位置調整機構をさらに備える。この態様により、電子ペン収容ユニットは、電子ペンにコード化パターンを読み取らせず、単に電子ペンを収容する状態と、電子ペンにコード化パターンを読み取らせつつ、電子ペンを収容する状態とにさせることができる。従って、操作者の利便性がより向上する。
【００１０】
上記電子ペン収容ユニットの一態様では、前記ペン先位置調整機構は、前記収容孔と前記用紙配置部とを結ぶ方向に移動可能な取っ手部と、前記取っ手部と接続し、前記収容孔に収容された電子ペンのペン先部を挟持するための孔が設けられた平板部と、前記取っ手部に圧力が加えられていない状態において、前記平板部に挟持された電子ペンのペン先部と、前記用紙配置部に配置された用紙とが離隔するように前記平板部を支持する弾性体とを備える。この構成により、ユーザは、取っ手部を操作することで弾性体を変形させることで、電子ペンにコード化パターンを読み取らせず、単に電子ペンを収容させる状態と、電子ペンにコード化パターンを読み取らせつつ、電子ペンを収容させる状態とに電子ペン収容ユニットの状態を容易にさせることができる。
【００１１】
上記電子ペン収容ユニットの一態様では、前記弾性体はコイルバネであり、前記コイルバネが形成する螺旋の中心を通り、かつ、前記平板部を垂直方向へ貫通し、前記平板部が前記垂直方向へ平行移動するように前記平板部の移動を規制するガイド部を備える。このようにすることで、電子ペン収容ユニットは、平板部が傾いて移動するのを防ぎ、取っ手部が操作された場合に、収容された全ての電子ペンのペン先部を用紙配置部に配置された用紙に接触させることができる。
【００１２】
上記電子ペン収容ユニットの一態様では、前記収容孔ごとに、取り外し可能なネームプレートが設けられている。この構成により、収容孔に対応したネームプレートに対して、ペンＩＤに対応するユーザ名を記入することで、ユーザが電子ペンを収容すべき収容孔を分かりやすく表示することができる。
【００１３】
本考案に係る電子ペンシステムは、用紙に印刷されたコード化パターンを読み取ってペン先部の位置座標を演算し、当該位置座標とペンＩＤとを含む記入情報を生成する電子ペンと、前記電子ペンにより読み取り可能なコード化パターンが印刷され、ユーザＩＤと関連付けられたエリアを有する名簿用紙と、前記電子ペンを収容させた状態で、前記名簿用紙の前記エリアに印刷された所定のコード化パターンを前記電子ペンに読み取らせる請求項１乃至３のいずれか一項に記載の電子ペン収容ユニットと、前記電子ペンによって送信される記入情報を受信するコンピュータ装置とを備える。
【００１４】
この構成により、電子ペンシステムは、電子ペンを収容可能な電子ペン収容ユニットと、電子ペン収容ユニットに収容させる電子ペンと、電子ペン収容ユニットの用紙配置部に配置する名簿用紙と、電子ペンから記入情報を受信するコンピュータ装置とを備える。そして、電子ペン収容ユニットは、電子ペンを収容させた状態で、用紙配置部に配置された名簿用紙のエリアに印刷された所定のコード化パターンを電子ペンに読み取らせる。この電子ペンシステムによれば、電子ペン収容ユニットは、電子ペンを収容しつつ、当該電子ペンにユーザＩＤと関連付けられた名簿用紙のエリアに印刷されたコード化パターンを読み取らせ、当該コード化パターンに対応する位置座標とペンＩＤとを含む記入情報をコンピュータ装置に受信させることができる。従って、この電子ペンシステムによれば、コンピュータ装置は、好適に、ユーザＩＤとペンＩＤとを関連付けるために必要な記入情報を受信することができる。
【００１５】
上記の電子ペンシステムの一態様では、前記エリアは、前記名簿用紙が前記用紙配置部に配置された際に、前記収容孔の各々と位置が対応するようにそれぞれ設けられ、前記コンピュータ装置は、ユーザＩＤと、当該ユーザＩＤに対応するエリアに印刷されたコード化パターンが示す位置座標とを関連付けて記憶する記憶手段と、前記名簿用紙についての前記記入情報を受信すると、前記記憶手段を参照して、当該記入情報に含まれる位置座標からユーザＩＤを特定し、当該記入情報に含まれるペンＩＤと特定したユーザＩＤとを関連付けて前記記憶手段に記憶させる処理手段とを備える。この態様により、電子ペン収容ユニットに電子ペンが収容された場合に、コンピュータ装置は、収容された電子ペンから記入情報を受信して適切に当該電子ペンのペンＩＤとユーザＩＤとを関連付けることができる。
【００１６】
上記の電子ペンシステムの他の一態様では、前記電子ペンにより読み取り可能なコード化パターンが印刷された記入用紙をさらに備え、前記処理手段は、ペンＩＤとユーザＩＤとを関連付けて前記記憶手段に記憶させた後、前記記入用紙についての記入情報を受信すると、当該記入情報の位置座標に基づいて表示手段に記入内容を表示させるとともに、当該記入情報に含まれるペンＩＤに関連付けられたユーザＩＤに対応する記入者名を表示させる。このようにすることで、電子ペンシステムは、電子ペンによる記入内容と、当該記入内容の記入者とをそれぞれコンピュータ装置上に表示することができる。
【００１７】
上記の電子ペンシステムの他の一態様では、前記処理手段は、前記名簿用紙についての前記記入情報を送信している電子ペンの数が所定数以上になった場合に、当該電子ペンのペンＩＤとユーザＩＤとを関連付けて前記記憶手段に記憶させる。このようにすることで、電子ペンシステムは、ユーザが電子ペンを収容すべき収容孔を間違えて他の収容孔に自己の電子ペン１を収容した場合等に、一つのペンＩＤを複数のユーザＩＤに重複して関連付けたり、あるペンＩＤがどのユーザＩＤにも対応しなくなるように、ペンＩＤとユーザＩＤとの関連付けを行うのを抑制することができる。
【考案の効果】
【００１８】
本考案によれば、電子ペン収容ユニットは、ユーザＩＤとペンＩＤとを関連付けるための名簿用紙が電子ペン収容ユニットの用紙配置部に配置された場合に、電子ペンを収容しつつ、ペンＩＤとユーザＩＤとを関連付けることができる。従って、電子ペン収容ユニットは、ペンＩＤとユーザＩＤとを関連付ける際に、各電子ペンについて名簿用紙の所定の欄にタップするという煩雑な操作が不要となり、かつ、タップする場所が重複してしまうなどの操作ミスなども防ぐことができる。
【図面の簡単な説明】
【００１９】
【図１】電子ペンシステムのシステム構成図である。
【図２】電子ペンシステムで利用される解答用紙を示す図である。
【図３】電子ペンシステムで利用される名簿用紙を示す図である。
【図４】解答用紙、電子ペン、及び受講者の対応を説明するための図である。
【図５】ドットパターンにおけるドットの配置と変換される値との関係を示す説明図である。
【図６】（ａ）は、ドットパターンを模式的に示し、（ｂ）は、それに対応する情報の例を示す図である。
【図７】電子ペンの構造を示す概略図である。
【図８】電子ペン収容ユニットを上面から俯瞰した平面図を示す。
【図９】電子ペン収容ユニットに名簿用紙が差し込まれる様子を示した図である。
【図１０】電子ペン収容ユニットの側面図を示す。
【図１１】電子ペン収容ユニットに収容された電子ペン及び電子ペン収容ユニットに配置された名簿用紙の状態を示す。
【図１２】コンピュータ装置の機能ブロック図を含む電子ペンシステムのシステム構成図である。
【図１３】コンピュータ装置に記憶させる学習データのファイルの構造図である。
【図１４】コンピュータ装置が記憶するユーザ定義情報のテーブルを示す。
【図１５】集約装置における描画アプリケーションウィンドウの表示例である。
【図１６】選択ユーザ表示ボタンが選択された場合の描画アプリケーションウィンドウの表示例である。
【図１７】比較一覧表示ボタンが選択された場合の描画アプリケーションウィンドウの表示例である。
【図１８】第２実施形態において、電子ペン収容ユニットに名簿用紙が差し込まれる様子を示した図である。
【図１９】矢印ＡＢが形成する面での第２実施形態に係る電子ペン収容ユニットの断面図を示す。
【図２０】電子ペンが収容孔に収容され、かつ、名簿用紙が用紙配置部に配置された後、矢印Ｙ４の方向に取っ手部に圧力が加わった場合の電子ペン収容ユニットの断面図を示す
【図２１】（Ａ）は、変形例の第１構成例におけるペン先調整機構の断面図を示す。（Ｂ）は、第２構成例における電子ペン収容ユニットの断面図を示す。
【考案を実施するための形態】
【００２０】
以下、図面を参照しながら、本考案に係るシステムの好適な実施形態について説明する。
【００２１】
＜第１実施形態＞
［電子ペンシステムのシステム構成］
図１は、第１実施形態における電子ペンシステム１０のシステム構成図である。図１に示すように、電子ペンシステム１０は、各受講者（記入者）それぞれに配布される解答用紙（記入用紙）５Ａ，５Ｂ，…（５）と、解答用紙５に解答（筆跡）を記入し、記入した情報を外部へＢｌｕｅｔｏｏｔｈ（登録商標）等の無線通信方式で送信するための電子ペン１Ａ，１Ｂ，…（１）と、各電子ペン１が生成する記入情報に基づきディスプレイ（表示手段）に記入内容等を表示するコンピュータ装置２と、各電子ペン１から送信される記入情報を受信する機能を有し、かつ、各電子ペン１を収容可能な電子ペン収容ユニット３とを備える。
【００２２】
各電子ペン１には、アノトペンを利用することができ、コンピュータ装置２には、ラップトップパソコンなどを利用することができる。プロジェクタ４は、コンピュータ装置２から表示情報を受信して、コンピュータ装置２の画面をスクリーン６へ投影表示する装置である。
【００２３】
また、本システム１０では、ユーザＩＤと各電子ペン１のペンＩＤとを関連付けるための名簿用紙７が備えられている。後述するように、名簿用紙７は、電子ペン収容ユニット３の名簿用紙挿入孔３３に挿入された状態で用いられる。
【００２４】
［解答用紙］
図２を参照して解答用紙（記入用紙）５について説明する。図２に示すように、受講者ごとに複数枚の解答用紙５が一組用意され、同じ組の解答用紙５には、それぞれ異なる座標範囲のドットパターン（コード化パターン）が印刷される。また、解答用紙５には、マス目が印刷されている。ドットパターンは、赤外線を吸収するカーボンを含んだインキにより印刷され、マス目は、赤外域に吸収性を持たないインキにより印刷される。なお、解答用紙５に、記入欄や問題や解答欄等を印刷しておいても良い。
【００２５】
［名簿用紙］
図３を参照して名簿用紙７について説明する。名簿用紙７の略全面に、電子ペン１によって読み取り可能なドットパターン（コード化パターン）が印刷され、その上に、ユーザエリア７０１〜７０４が規定されている。ユーザエリア７０１〜７０４は、ユーザエリア７０１〜７０４の各々に関連付けられたユーザＩＤと、当該ユーザエリア７０１〜７０４をタップした電子ペン１のペンＩＤとを関連付けるためのユーザエリアである。そして、ユーザエリア７０１〜７０４には、それぞれ、「１  太郎」、「２  次郎」、「３  三郎」、４  四郎」の文字が囲み付きで印刷されている。
【００２６】
名簿用紙７に印刷されたドットパターンは、解答用紙５とは異なるドットパターンを有し、そのドットパターンは、赤外線を吸収するカーボンを含んだインキにより印刷されている。また、各ユーザエリア７０１〜７０４の枠や文字は、赤外域に吸収性を持たないインキにより印刷される。受講者等は、ユーザＩＤとペンＩＤとの関連付けを行う場合等に、名簿用紙７を電子ペン収容ユニット３に挿入した状態で電子ペン１を電子ペン収容ユニット３に収容させる。これにより、電子ペン収容ユニット３に収容された電子ペン１のペン先部１０３は、それぞれの電子ペン１の収容場所に応じ、各ユーザエリア７０１〜７０４にそれぞれ接触する。
【００２７】
［解答用紙、電子ペンと受講者の対応等］
解答用紙、電子ペンと受講者（記入者）の対応等については、本実施形態では、図４に示すように、受講者「太郎」が、電子ペン１Ａを用いて解答用紙５Ａに解答し、受講者「次郎」が、電子ペン１Ｂを用いて解答用紙５Ｂに解答し、受講者「三郎」が、電子ペン１Ｃを用いて解答用紙５Ｃに解答し、受講者「四郎」が、電子ペン１Ｄを用いて解答用紙５Ｄに解答するものとする。また、講師（操作者）「花子」が、コンピュータ装置２を操作するものとする。
【００２８】
［ドットパターン］
次に、図５と図６を参照しながら、解答用紙５及び名簿用紙７に印刷されたアノト方式のドットパターン（コード化パターン）について説明する。図５は、解答用紙５及び名簿用紙７に印刷されたドットパターンのドットと、そのドットが変換される値との関係を説明する図である。図５に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００２９】
図６（ａ）は、あるドットパターンの配列を示している。図６（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙５上のどの位置にあるのか）を保持している。図６（ｂ）は、図６（ａ）に示す各ドットを、格子の基準位置からのシフト方向によって、図５に示す規則性に基づいて、対応づけられた値に変換したものである。この変換は、ドットパターンの画像を撮影する電子ペン１によって行われる。
【００３０】
［電子ペン］
次に、電子ペン１について図７を用いて説明する。図７は、電子ペン１の構造を示す概略図である。図７に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、名簿用紙７にタップしたり、解答用紙５に当接させてストローク（手書きストローク）を記入したりする。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００３１】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙５に文字やマークを書いたり名簿用紙７にタップしたりする際にペン先部１０３からインクカートリッジ１０４を通じて与えられる圧力、即ち筆圧を検出し、その値をプロセッサ１０８へ伝送する。
【００３２】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙５に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００３３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙５及び名簿用紙７上のペン先部１０３近傍に向けて赤外線を照明する。その領域は、ペン先部１０３が解答用紙５及び名簿用紙７に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図６（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３４】
プロセッサ１０８は、受講者の記入が行われる間、ＣＭＯＳカメラ１０６によって供給される画像データのドットパターンから、受講者が記入するストローク（筆跡）の解答用紙５上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図６（ａ）に示されるようなドットパターンの画像データを図６（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙５及び名簿用紙７における６×６のドットパターンは、解答用紙５内及び名簿用紙７内で重複することはないため、受講者が電子ペン１で文字等を記入すると、記入された位置が解答用紙５及び名簿用紙７のどの位置に当たるかを、プロセッサ１０８による座標演算により特定することができる。
【００３５】
メモリ１０９には、各電子ペン１Ａ〜１Ｄを識別するためのそれぞれのペンＩＤ「ｐｅｎ０１」〜「ｐｅｎ０４」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ、Ｙ座標（座標点）からなり、コンピュータ装置２は、ペンダウン情報及びペンアップ情報によって、１つのストロークを構成する１個又は複数個の座標属性情報を認識する。
【００３６】
このように、各電子ペン１Ａ〜１Ｄは、受講者が解答用紙５及び名簿用紙７に記入又は接触している間、記入情報を生成して、コンピュータ装置２へ送信する。言い換えると、各電子ペン１Ａ〜１Ｄは、受講者が解答用紙５等に記入し続けている間、記入情報を生成し、コンピュータ装置２へ送信し続ける。そして、受講者が電子ペン１を解答用紙５及び名簿用紙７から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、コンピュータ装置２への記入情報の送信を中止する。
【００３７】
［電子ペン収容ユニット］
次に、図８〜図１１を参照して電子ペン収容ユニット３について説明する。
【００３８】
図８は、電子ペン収容ユニット３を上面から俯瞰した平面図を示す。また、図９は、電子ペン収容ユニット３に名簿用紙７が差し込まれる様子を示した図である。なお、説明の便宜上、図８に示すように、電子ペン収容ユニット３の平面視における短手方向を「Ｘ軸」、電子ペン収容ユニット３の平面視における長手方向を「Ｙ軸」とする。図８及び図９に示すように、電子ペン収容ユニット３は、収容孔３１Ａ〜３１Ｄ（３１）と、ネームプレート３２Ａ〜３２Ｄ（３２）と、名簿用紙７を電子ペン収容ユニット３内に挿入するための名簿用紙挿入孔３３とを備える。
【００３９】
収容孔３１は、電子ペン１を挿入可能な孔であり、挿入された電子ペン１を収容する。ネームプレート３２は、収容孔３１Ａ〜３１Ｄごとに取り外し可能に設けられ、各収容孔３１Ａ〜３１Ｄに収容させる電子ペン１Ａ〜１Ｄのユーザ名を表示する。各ネームプレート３２Ａ〜３２Ｄのユーザ名は、名簿用紙７が印刷された後、名簿用紙７のユーザエリア７０１〜７０４にそれぞれ印刷されたユーザ名に合わせて記入される。名簿用紙挿入孔３３は、印刷された名簿用紙７を、図９の矢印に示す方向に電子ペン収容ユニット３内に差し込む（挿入する）ための差し込み口である。
【００４０】
図１０は、図８に示す電子ペン収容ユニット３を矢印の示す方向から観察した場合の電子ペン収容ユニット３の左側面図を示す。なお、図１０では、電子ペン１が各収容孔３１に収容された状態が示され、電子ペン収容ユニット３内の隠れ線を破線により描いている。なお、以後では、ＸＹ平面に対する垂直方向を「Ｚ軸」とする。
【００４１】
図１０に示すように、電子ペン収容ユニット３内には、名簿用紙挿入孔３３及び各収容孔３１と連通し、略直方体状にくり抜かれた用紙配置部３４が設けられている。用紙配置部３４の底面部３４０には、名簿用紙７が配置される。従って、底面部３４０は、ＸＹ平面に沿って平面状に形成され、かつ、名簿用紙７が折り曲がることなく配置可能な大きさを有する。そして、図１０に示すように、収容孔３１に電子ペン１が収容された状態では、電子ペン１のペン先部１０３は、名簿用紙７が配置される底面部３４０と接触する。
【００４２】
図１１は、名簿用紙７が挿入された電子ペン収容ユニット３の各収容孔３１Ａ〜３１Ｄに電子ペン１Ａ〜１Ｄが収容された状態を示す。なお、図１１では、説明の便宜上、電子ペン収容ユニット３を二点鎖線により透過表示している。また、矢印「Ｙ３Ａ」〜「Ｙ３Ｄ」は、各電子ペン１Ａ〜１Ｄから記入情報が送信されている様子を仮想的に示したものである。
【００４３】
図１１に示すように、名簿用紙７が用紙配置部３４に配置された状態では、名簿用紙７の各ユーザエリア７０１〜７０４は、各収容孔３１Ａ〜３１Ｄに収容された電子ペン１Ａ〜１Ｄのペン先部１０３が接触する位置に配置される。言い換えると、この場合、収容孔３１Ａ〜３１Ｄの延在方向に各ユーザエリア７０１〜７０４が配置される。これにより、収容孔３１Ａに収容された電子ペン１Ａのペン先部１０３は、名簿用紙７のユーザエリア７０１に接触し、収容孔３１Ｂに収容された電子ペン１Ｂのペン先部１０３は、名簿用紙７のユーザエリア７０２に接触し、収容孔３１Ｃに収容された電子ペン１Ｃのペン先部１０３は、名簿用紙７のユーザエリア７０３に接触し、収容孔３１Ｄに収容された電子ペン１Ｄのペン先部１０４は、名簿用紙７のユーザエリア７０４に接触する。
【００４４】
これにより、各ユーザエリア７０１〜７０４に印刷されたドットパターンから演算される座標情報とペンＩＤとを含む記入情報が各電子ペン１Ａ〜１Ｄからコンピュータ装置２へ送信される（矢印Ｙ３Ａ〜Ｙ３Ｄ参照）。そして、コンピュータ装置２は、この記入情報に基づき、ユーザＩＤとペンＩＤとを対応付けて記憶する。これについては、［ユーザ定義情報］のセクションで詳しく説明する。
【００４５】
［コンピュータ装置］
続いて、コンピュータ装置２について説明する。図１２に示すように、コンピュータ装置２は、入力手段２１、通信手段２３、処理手段２４、記憶手段２５、表示手段２６、及び送信手段２７を備える。コンピュータ装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、コンピュータ装置２は、処理手段２４による描画アプリケーション（プログラム）の実行により、電子ペン１から受信した記入情報を処理して、表示手段２６に記入内容を再現する。
【００４６】
通信手段２３は、電子ペン１Ａ〜１Ｄから送信された記入情報を受信する手段である。通信手段２３は、アンテナや受信回路等により構成される。
【００４７】
入力手段２１は、処理や表示の種別を含む処理態様を指示する手段であり、キーボードやマウスとその操作を検知する手段によって構成される。例えば、入力手段２１は、キーボードによって、ユーザＩＤに対応付けるユーザ名の入力操作が可能である。また、入力手段２１は、マウスによって、表示手段２６の画面におけるボタンのクリック操作や任意の位置・大きさの長方形状の画面範囲を指定するドラッグ操作が可能である。送信手段２７は、表示手段２６に表示される内容と同じ内容をプロジェクタ４からスクリーン６へ投影表示させるため、表示手段２６への表示信号を同期してプロジェクタ４へ送信する手段である。
【００４８】
記憶手段２５は、ＲＯＭやＲＡＭ、ハードディスクなどのメモリによって構成され、解答用紙５における各ユーザエリアと位置座標とを関連付けて記憶する。また、記憶手段２５は、通信手段２３により電子ペン１から受信した名簿用紙７に関する記入情報及び入力手段２１により入力されたユーザ名に基づき、電子ペン１が保持する固有のペンＩＤに対して、ユーザＩＤとユーザ名とをユーザ定義情報として関連付けて記憶する。ユーザ定義情報については［ユーザ定義情報］のセクションで詳しく説明する。
【００４９】
記憶手段２５には、記入情報およびユーザ定義情報に基づいて、処理手段２４による描画アプリケーション（プログラム）の実行により、ファイル形式で学習データが保存される。図１３は、データのファイル形式の概略的な構造を示している。図１３に示すように、学習データは、ファイル属性情報と、ユーザＩＤ別の個人学習データとを有する。ファイル属性情報には、作成日時情報が含まれている。また、個人学習データには、ユーザＩＤと、電子ペン１から送信された記入情報の位置座標情報等を含むユーザストローク情報と、解答内容等に応じてカテゴライズのために操作者によって設定されるユーザ色（分類）情報やキーワード情報等が含まれている。ユーザＩＤは、処理手段２４により、記入情報に含まれるペンＩＤに基づいて、記憶手段２５に予め記憶されたユーザ定義情報を参照することで特定され、当該記入情報に基づくユーザストローク情報と対応付けられる。ユーザストローク情報は、電子ペン１が演算した位置座標（ＸＹ座標）情報、記入された時の時刻情報、及び筆圧情報が含まれる。ファイルデータを読み込む際には、操作者が、入力手段２１によって、ユーザＩＤ、ユーザ色情報、キーワード情報などを所定の入力エリアに入力することで、処理手段２４によって特定のデータを検索させ、ユーザストローク情報を表示手段２６に再現させることができる。
【００５０】
処理手段２４は、電子ペン１からのデータを集約して処理する手段であり、アプリケーションプログラムの実行により機能を発揮するＣＰＵ等のプロセッサによって構成されている。この処理手段２４は、電子ペン収容ユニット３に電子ペン１が載置された際に電子ペン１から送信されるユーザエリア７０１〜７０４に関する記入情報及び入力手段２１のキーボード操作等で入力されたユーザ名に基づき、ユーザ定義情報を生成又は変更する。また、処理手段２４は、電子ペン１から位置座標及びペンＩＤ等を含む記入情報を受信すると、ペンＩＤごとに記入情報を記憶手段２５に記憶させる。また、処理手段２４は、ペンＩＤごとに関連付けられた記入情報を筆跡として再現して表示手段２６に表示させ、また、入力手段２１のマウス操作でドラッグにより指定された範囲に対応する各解答用紙５における記入情報を、記憶手段２５から抽出して、各解答用紙５における記入情報を筆跡として表示手段２６に一覧表示させる等、様々な処理を行う。
【００５１】
また、処理手段２４は、解答用紙５についての記入情報を含む学習データに基づいて、表示手段２６に記入内容を表示させるとともに電子ペンＩＤに対応するユーザＩＤに対応するユーザ名を表示させる。表示手段２６に電子ペン１による記入内容とユーザ名とが表示されるため、操作者である講師「花子」は、受講者（記入者）とその者による記入内容とを合わせて認識することができる。また、処理手段２４は、表示手段２６と同じ内容を同期させて、プロジェクタ４からスクリーン６へ投影表示させるため、表示手段２６に対する表示信号と同じ信号を送信手段２７に対してプロジェクタ４へ向けて送信させる。すると、各受講者も、プロジェクタ４からスクリーン６へ投影表示された記入内容とその記入者とを合わせて認識することができる。
【００５２】
［ユーザ定義情報］
次に、コンピュータ装置２の記憶手段２５が記憶するユーザ定義情報について、図１４（Ａ）〜（Ｃ）を参照して詳しく説明する。図１４（Ａ）は、名簿用紙７のユーザエリア７０１〜７０４に関する記入情報を電子ペン１からコンピュータ装置２が受信する前、かつ、ユーザＩＤに対応付けるユーザ名の入力が入力手段２１によりなされる前の初期状態におけるユーザ定義情報のテーブルを示す。図１４（Ａ）では、各ユーザＩＤに対して、名簿用紙７の各ユーザエリア７０１〜７０４に印刷されたドットパターンが示す座標領域が記憶されている。ここで、座標領域は、角の位置座標（Ｘｎ，Ｙｎ）、高さ（Ｙ方向）、幅（Ｘ方向）で規定されており、ユーザエリア７０１は座標領域「（Ｘ１，Ｙ１）、Ｈ１、Ｗ１」に対応し、ユーザエリア７０２は座標領域「（Ｘ２，Ｙ２）、Ｈ２、Ｗ２」に対応し、ユーザエリア７０３は座標領域「（Ｘ３，Ｙ３）、Ｈ３、Ｗ３」に対応し、ユーザエリア７０４は座標領域「（Ｘ４，Ｙ４）、Ｈ４、Ｗ４」に対応している。なお、図１４（Ａ）では、ユーザ名の入力がなされておらず、各ユーザエリア７０１〜７０４に電子ペン１Ａ〜１Ｄがタップされていないことから、各ユーザＩＤにユーザ名及び電子ペン１のペンＩＤが対応付けられていない。
【００５３】
図１４（Ｂ）は、図１４（Ａ）に示す初期状態から各ユーザＩＤに対応付けるユーザ名の入力がなされた場合のユーザ定義情報のテーブルを示す。図１４（Ｂ）に示すように、処理手段２４は、入力手段２１により各ユーザＩＤに対応付ける入力を検知した場合、入力されたユーザ名を、対象となるユーザＩＤに関連付けて記憶手段２５に記憶させる。
【００５４】
そして、図１４（Ｂ）に示すように各ユーザＩＤにユーザ名が関連付けられた場合、コンピュータ装置２は、さらに各ユーザＩＤと各電子ペン１のペンＩＤとの対応付けを行うため、当該図１４（Ｂ）に示すユーザ定義情報に基づき、プリンタ（不図示）に対して名簿用紙７の印刷指示を行う。具体的には、処理手段２４は、図１４（Ｂ）を参照し、対応するユーザＩＤ及びユーザ名に基づき、ユーザエリア７０１〜７０４に相当する座標領域上にそれぞれ、「１  太郎」」、「２  次郎」、「３  三郎」、「４  四郎」とプリンタに印刷させる。
【００５５】
また、名簿用紙７の印刷後、電子ペン収容ユニット３には、ユーザエリア７０１〜７０４にそれぞれ印刷されたユーザ名が記入されたネームプレート３２Ａ〜３２Ｄが取り付けられる（図９参照）。具体的には、操作者は、ユーザエリア７０１上に「１  太郎」と印刷されたことから、これと対応するネームプレート３２Ａには「太郎」と記入し、ユーザエリア７０２上に「２  次郎」と印刷されたことから、これと対応するネームプレート３２Ｂには「次郎」と記入し、ユーザエリア７０３上に「３  三郎」と印刷されたことから、これと対応するネームプレート３２Ｃには「三郎」と記入し、ユーザエリア７０４上に「４  四郎」と印刷されたことから、これに対応するネームプレート３２Ｄには「四郎」と記入する。
【００５６】
図１４（Ｃ）は、電子ペン１Ａ〜１Ｄがそれぞれ電子ペン収容ユニット３の収容孔３１Ａ〜３１Ｄに収容されて、電子ペン１Ａ〜１Ｄそれぞれがユーザエリア７０１〜７０４に形成されたドットパターンを読み取ることにより、電子ペン１Ａ〜１Ｄからユーザエリア７０１〜７０４に関する記入情報がコンピュータ装置２へ送信された後のユーザ定義情報のテーブルを示す。図１４（Ｃ）に示すように、この場合、処理手段２４は、電子ペン１Ａ〜１Ｄから送信された記入情報に含まれる座標情報を参照し、ユーザ定義情報の各ユーザＩＤに、記入情報に含まれるペンＩＤを対応付けて記憶手段２５に記憶させる。具体的には、ユーザエリア７０１に電子ペン１Ａのペン先部１０３が接触したことにより、ユーザＩＤ「Ｕ０１」に電子ペン１ＡのペンＩＤ「ｐｅｎ０１」が対応付けられ、ユーザエリア７０２に電子ペン１Ｂのペン先部１０３が接触したことにより、ユーザＩＤ「Ｕ０２」に電子ペン１ＢのペンＩＤ「ｐｅｎ０２」が対応付けられ、ユーザエリア７０３に電子ペン１Ｃのペン先部１０３が接触したことにより、ユーザＩＤ「Ｕ０３」に電子ペン１ＣのペンＩＤ「ｐｅｎ０２」が対応付けられ、ユーザエリア７０４に電子ペン１Ｄのペン先部１０３が接触したことにより、ユーザＩＤ「Ｕ０４」に電子ペン１ＤのペンＩＤ「ｐｅｎ０４」が対応付けられている。
【００５７】
なお、処理手段２４は、一度各ユーザＩＤとペンＩＤとを関連付けてユーザ定義情報として記憶手段２５に記憶させた場合であっても、再びコンピュータ装置２がユーザエリア７０１〜７０４に関する記入情報を電子ペン１から受信した場合には、新たに受信した記入情報に基づきユーザＩＤにペンＩＤを関連付けてもよい。
【００５８】
［描画アプリケーションによる画面表示］
次に、描画アプリケーションの実行による処理手段２４の表示手段２６への表示処理について図１５を参照しつつ説明する。図１５は、表示手段２６の表示画面に表示された描画アプリケーションに基づくウィンドウ（「描画アプリケーションウィンドウ」とも呼ぶ。）の一例を示す。
【００５９】
図１５に示すように、電子ペン１で解答用紙５に記入された際に生成された記入情報に基づいて、コンピュータ装置２で記憶手段２５に個別学習データとして記憶したユーザストローク情報（以下、単に「ストローク」とも表記する。）は、処理手段２４によって、表示手段２６のユーザストローク情報表示領域５０に描画される。描画するユーザストローク情報が、拡大表示などでユーザストローク情報表示領域５０よりも大きい場合、処理手段２４は、横スクロールバー５１及び縦スクロールバー５２を有効とし、操作者のマウス操作によってユーザストローク情報表示領域５０をスクロールして、ユーザストローク情報全体を複数回に分けて表示できるようにする。
【００６０】
また、処理手段２４は、描画アプリケーションウィンドウ上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６０、ページ送りボタン６１，６２、回転表示ボタン６３、６４、及びユーザコントロール表示ボタン６５などを表示し、マウスによる機能ボタンの選択により、それぞれの処理を実行する。
【００６１】
選択ユーザ表示ボタン５３は、後述するユーザ選択リスト６９から選択した１つのユーザ名に対応するユーザストローク情報を大きく表示し、他のユーザ名に対応するユーザストローク情報を小さく表示したサムネイルを一覧表示するためのボタンである。以後、選択ユーザ表示ボタン５３が選択された際の描画アプリケーションウィンドウの表示を「選択ユーザ表示」と呼ぶ。比較一覧表示ボタン５４は、複数のユーザ名に対応するユーザストローク情報を同時に並べて一覧表示するためのボタンである。以後、比較一覧表示ボタン５４が選択された際の描画アプリケーションウィンドウの表示を「比較一覧表示」と呼ぶ。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００６２】
表示サイズ変更リスト５８は、現在、ユーザストローク情報表示領域５０に描画するユーザストローク情報の表示サイズを示すリストである。また、操作者がマウスを用いてプルダウンメニューの中から表示サイズを任意に選択し、変更できる。縮小表示ボタン５９は、ユーザストローク情報表示領域５０に描画するユーザストローク情報の表示サイズを、現在設定されている表示サイズから所定の割合で縮小する機能である。拡大表示ボタン６０は、ユーザストローク情報表示領域５０に描画するユーザストローク情報の表示サイズを、現在設定されている表示サイズから所定の割合で拡大する機能である。ページ送りボタン６１，６２は、解答用紙５のセットが複数枚に及ぶ場合に、異なるページアドレス（用紙ドットパターン）の解答用紙５を表示するためのボタンである。回転表示ボタン６３，６４は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６５は、ユーザコントロールリスト６８の表示・非表示を切り替える機能である。非表示にすることで、ユーザストローク情報表示領域５０を拡大できる。
【００６３】
図１５に示すように、ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００６４】
ユーザ選択リスト６９は、ユーザストローク情報表示領域５０に表示するユーザストローク情報を、ユーザ名で選択するためのリストである。ユーザ選択リスト６９は、ユーザ色（分類）情報表示欄６９１と、ユーザ名表示欄６９２と、キーワード表示欄６９３とを備える。処理手段２４は、電子ペン１から取得して個別学習データとして記憶手段２５に記憶したユーザストローク情報ごとに関連付けられているユーザＩＤに対応するユーザ名をユーザ名表示欄６９２に表示し、色分類ボタン７１〜７６によって選択されたユーザ色（分類）情報をユーザ色（分類）情報表示欄６９１に表示し、キーワード等の各ユーザの情報をキーワード表示欄６９３に表示する。ユーザ選択リスト６９のユーザ名表示欄６９２には、処理手段２４により、記憶手段２５に記憶した個別学習データのユーザＩＤに対応するユーザ名が表示される。
【００６５】
そして、操作者がマウスによって、ユーザ選択リスト６９から所望のユーザを選択したうえで選択ユーザ表示ボタン５３をクリックすると、処理手段２４は、ユーザストローク情報表示領域５０に、選択された受講者のストローク情報を大きく表示させると共に、他の受講者のストローク情報を小さく表示したサムネイルを一覧表示させる。なお、集約装置２の操作者は、ユーザ選択リスト６９のキーワードの欄に、入力手段２１のキーボードを用いて直接文字を入力することができ、集約処理手段２４は、入力された文字を個人学習データファイルのキーワード情報として記憶手段２５におけるユーザＩＤ別の格納領域に記憶させる（参照図１３）。
【００６６】
色分類ボタン７１〜７６は、ユーザ選択リスト６９に表示されている受講者ごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色にユーザ色（分類）情報を設定するためのボタンである。コンピュータ装置２の操作者は、マウスによって、ユーザ選択リスト６９内の特定のユーザ名を選択し、色分類ボタン７１〜７６のうち所望のボタンを選択すると、処理手段２４は、ユーザ選択リスト６９内の選択されたユーザ名のユーザ色（分類）情報表示欄６９１を指定された色で表示する。この機能により、操作者である講師が、ユーザストローク情報表示領域５０に表示される受講者の解答内容を見て、その考え方などをカテゴリー分けして色をつけ、見易くすることができる。なお、ユーザ色（分類）情報は、未設定時は、白色に設定しておくとよい。
【００６７】
名簿順ソートボタン７８は、ユーザ選択リスト６９に表示されているユーザ一覧を、名簿番号順に並べ替えるためのボタンである。本実施形態では、図１２（ｃ）に示すユーザＩＤ順を名簿番号順としている。色順ソートボタン７９は、ユーザ選択リスト６９に表示されているユーザ一覧を、色分類ボタン７１〜７６の操作によって付されたユーザ色（分類）情報が同じ受講者同士を連続して配列されるように、ユーザ色（分類）情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００６８】
リロードボタン８２は、ユーザ選択リスト６９において選択されている受講者のユーザストローク情報を、学習データファイル保存時の状態まで戻すためのボタンである。この機能により、操作者である講師が、リロードボタン８２をマウスで選択すると、処理手段２４は、選択されている受講者に関連付けられているユーザＩＤに基づいて、前回のファイル保存以降に電子ペン１より受信して記憶手段２５のユーザＩＤ別の格納領域に記憶したユーザストローク情報をクリアして、前回ファイル保存した時点までのユーザストローク情報を読み出し、ユーザストローク情報表示領域５０に表示する。この機能により、個々の受講者が解答をやり直したい場合などに対応できる。
【００６９】
また、ファイルデータの保存やアプリケーションの設定などは、一般的なアプリケーションと同様に、機能メニューとして用意しておくと良い。ファイルメニュー９０のプルダウンメニューとして、ファイルデータの読み込み・保存を実行するメニュー、画像形式で保存するメニュー、アプリケーションの終了を実行するメニューなど、アプリケーションの全般的な管理に関する実行機能を一覧で用意しておくと便利である。
【００７０】
また、ファイルデータの保存に関するファイル形式を、ユーザ別のユーザストローク情報と設定情報を関連付けた構造としているので、ファイルデータを読み込む際、ユーザＩＤやユーザ色情報、キーワード情報などから特定のデータを検索し、検索されたユーザストローク情報をユーザストローク情報表示領域５０に表示することができる。
【００７１】
表示メニュー９１のプルダウンメニューとして、ウィンドウ枠を隠しアプリケーションの表示領域を最大限拡大する全画面表示メニューなど、アプリケーションの表示に関する実行機能を一覧で用意しておくと便利である。またツールメニュー９２のプルダウンメニューとして、電子ペン１の接続経由状況（例えば転送装置３のＩＰアドレスなど）を表示するペン管理メニュー、ユーザストローク情報を表示する背景となる解答用紙５の画像を設定する用紙管理メニュー、アプリケーションのバージョンやプロパティ情報などを表示するメニューなど、アプリケーションの設定に関する実行機能を一覧で用意しておくと便利である。これらのボタンやメニューが選択されると、処理手段２４により各機能が実行される。
【００７２】
［選択ユーザ表示機能］
次に、図１６を参照して、選択ユーザ表示ボタン５３が選択された場合の選択ユーザ表示機能について説明する。
【００７３】
図１６は、選択ユーザ表示ボタン５３が選択された場合に表示される描画アプリケーションウィンドウの選択ユーザ表示の一例を示す。図１６に示すように、処理手段２４は、選択ユーザ表示ボタン５３が選択された場合に、ユーザストローク情報表示領域５０に、ユーザ選択リスト６９を用いて操作者によって選択された受講者（図１６に示す例では「太郎」）のユーザストローク情報を大きく表示した拡大画像２００Ａ（２００）を表示させると共に、操作者によって選択されなかった他の受講者（図１６に示す例では「次郎」、「三郎」、「四郎」）のユーザストローク情報を、拡大画像２００よりも小さく表示したサムネイル２０１Ｂ〜２０１Ｄ（２０１）で一覧表示させる。具体的には、処理手段２４は、ユーザストローク情報表示領域５０の上部エリアに拡大画像２００を表示させ、ユーザストローク情報表示領域５０の下部エリアにサムネイル２０１を同時に並べて一覧表示させる。この場合、処理手段２４は、同じ縮尺にて、各受講者のユーザストローク情報に対応するサムネイル２０１を表示させる。
【００７４】
より詳しくは、処理手段２４は、各受講者によって記入されたストロークが少なくとも含まれるような範囲を切り出して、その切り出した範囲に対応する画像を、拡大画像２００及びサムネイル２０１として表示させる。各受講者でストローク数やストローク長などが異なることから、当該切り出した範囲のサイズが異なるため、各受講者でサムネイル２０１のサイズが異なる傾向にある。更に、処理手段２４は、操作者によって選択された受講者（つまりストロークを大きく表示している受講者）に対応するユーザ選択リスト６９の箇所を強調表示させる。具体的には、処理手段２４は、操作者によって選択された受講者（図１６に示す例では「太郎」）に対応するユーザ選択リスト６９の番号を、赤色などの枠９９で囲って表示させる。なお、処理手段２４は、一覧表示させるサムネイル２０１がユーザストローク情報表示領域５０に収まらない場合には、横スクロールバー５１を有効とし、操作者のマウス操作によってユーザストローク情報表示領域５０をスクロールして、サムネイル２０１を複数回に分けて表示できるようにする。
【００７５】
なお、拡大画像２００は、受講者によって記入されたストロークを実際に拡大した画像という意味で「拡大」の文言を用いているわけではなく、サムネイル２０１よりもサイズが大きい画像という意味で「拡大」の文言を用いている（以下同様とする）。この定義は、後述する「拡大表示」や「縮小表示」にも同様に適用される。つまり、「拡大表示」は、実際のストロークを拡大して表示するという意味で用いるわけではなく、サムネイル２０１よりも大きなサイズで表示するという意味で用い、「縮小表示」は、実際のストロークを縮小して表示するという意味で用いるわけではなく、拡大画像２００よりも小さなサイズで表示するという意味で用いる（以下同様とする）。
【００７６】
他方で、処理手段２４は、操作者のマウス操作などによってサムネイル２０１のいずれか１つが選択された場合に、既に拡大表示されている拡大画像２００を縮小表示させると共に、選択されたサムネイル２０１を拡大表示させる。つまり、処理手段２４は、既に拡大表示されている拡大画像２００をサムネイル２０１として一覧表示させると共に、操作者によって選択されたサムネイル２０１を拡大画像２００として表示させる。言い換えると、既に拡大表示されている拡大画像２００と、操作者によって選択されたサムネイル２０１とを入れ替える。
【００７７】
また、図１６に示すように、各受講者のユーザ色（分類）情報表示欄６９１に、色が付されて表示されている。具体的には、受講者「太郎」は黄色が付され、受講者「次郎」は黄色が付され、受講者「三郎」は青色が付され、受講者「四郎」は赤色が付されている。操作者は、受講者の解答の考え方（解き方）をカテゴリー分けして、それぞれに色を割り当て、各受講者ごとに色分類ボタン７１〜７６のうちの所望のボタンを選択する。そして、処理手段２４は、各受講者のユーザ色（分類）情報表示欄６９１を、操作者によって指定された色で表示させる。図１６に示す例では、操作者は、数列を用いた解答の考え方に黄色を割り当て、三角形の面積を用いた解答の考え方に青色を割り当て、台形の面積に基づいた解答の考え方に赤色を割り当てている。
【００７８】
［比較一覧表示機能］
次に、図１７を参照して、比較一覧表示ボタン５４が選択された場合の比較一覧表示機能について説明する。
【００７９】
図１７は、比較一覧表示ボタン５４が選択された場合に表示される描画アプリケーションウィンドウの比較一覧表示の一例を示す。図１７に示すように、処理手段２４は、操作者によって比較一覧表示ボタン５４が選択された場合に、ユーザストローク情報表示領域５０に、各受講者のユーザストローク情報を縮小表示したサムネイル２０２Ａ〜２０２Ｄ（２０２）を同時に並べて一覧表示させる。この場合、処理手段２４は、同じ縮尺にて、各受講者のユーザストローク情報に対応するサムネイル２０２を表示させる。また、処理手段２４は、各受講者によって記入されたストロークが少なくとも含まれるような範囲を切り出して、その切り出した範囲に対応する画像をサムネイル２０２として表示させる。
【００８０】
［第１実施形態による作用効果］
第１実施形態の電子ペンシステム１０によれば、電子ペン収容ユニット３は、電子ペン１を収容する複数の収容孔３１と、収容孔３１の各々と連通する用紙配置部３４と、用紙配置部３４に名簿用紙７を配置するための名簿用紙挿入孔３３とを備え、電子ペン１を収容孔３１に収容させた状態で、名簿用紙７の各ユーザエリア７０１〜７０４にペン先部１０３を接触させる。これにより、電子ペン収容ユニット３は、ユーザＩＤとペンＩＤとを関連付けるための名簿用紙７が用紙配置部３４に配置された場合に、電子ペン１を収容しつつ、ペンＩＤとユーザＩＤとを関連付けるための記入情報をコンピュータ装置２に送信することができる。従って、電子ペン収容ユニット３は、各電子ペン１について名簿用紙７の各ユーザエリア７０１〜７０４にタップする操作を省き、かつ、タップする場所が重複してしまうなどの操作ミスなども防ぐことができる。
【００８１】
［第１実施形態の変形例］
次に、第１実施形態の変形例について説明する。以下の変形例は、任意に組み合わせて上述の第１実施形態に適用してもよい。
【００８２】
（変形例１）
コンピュータ装置２は、受信した記入情報に基づき、所定数以上の電子ペン１が電子ペン収容ユニット３に収容されたと判断した場合に限り、ユーザＩＤとペンＩＤとを関連付けて記憶してもよい。上述の所定数は、電子ペン収容ユニット３に実際に収容される電子ペン１の数に設定され、例えば、電子ペン収容ユニット３が有する収容孔３１の数（第１実施形態では「４」）に設定されてもよく、ユーザが入力手段２１により指定した値に設定されてもよい。
【００８３】
具体的には、コンピュータ装置２は、任意の電子ペン１から名簿用紙７のユーザエリア７０１〜７０４に関する記入情報を受信した場合、当該ユーザエリア７０１〜７０４に関する記入情報を送信している電子ペン１の数を記入情報に含まれるペンＩＤに基づき特定する。そして、コンピュータ装置２は、特定した電子ペン１の数が所定数以上であると判断した場合、当該ユーザエリア７０１〜７０４に関する記入情報に基づき、ユーザＩＤとペンＩＤとを関連付けて記憶手段２５に記憶させる。
【００８４】
このようにすることで、コンピュータ装置２は、ユーザが電子ペン１を収容すべき収容孔３１を間違えて他の収容孔３１に自己の電子ペン１を収容した場合等に、ユーザ定義情報において、一つのペンＩＤに複数のユーザＩＤが重複して関連付けられたり、あるペンＩＤがどのユーザＩＤにも対応しなくなったりするのを抑制することができる。
【００８５】
（変形例２）
コンピュータ装置２の入力手段２１によりユーザ名を入力する代わりに、コンピュータ装置２は、使用する各電子ペン１のペンＩＤと、当該電子ペン１を使用するユーザ名とを関連付けて予め記憶手段２５に記憶していてもよい。この場合、コンピュータ装置２は、初期状態において図１４（Ｂ）に相当するテーブルを記憶手段２５に予め記憶しておき、ユーザエリア７０１〜７０４に関する記入情報を電子ペン１から受信した場合に、図１４（Ｃ）に相当するユーザＩＤとユーザ名とペンＩＤとが対応付けられたユーザ定義情報を生成する。
【００８６】
この態様により、電子ペンシステム１０は、ユーザ名をキーボード等により入力させることなく、ユーザが各電子ペン１を各収容孔３１に収容した段階で、ユーザ定義情報を生成し、上述の描画アプリケーションにおける各種表示を行うことができる。
【００８７】
（変形例３）
収容孔３１は、ＸＹ平面と垂直なＺ軸方向、即ち用紙配置部３４の底面部３４０に対して垂直方向に延在していたが、これに代えて、収容孔３１は、底面部３４０に対して非垂直（斜め）方向に延在していてもよい。この場合であっても、用紙配置部３４に名簿用紙７が配置された際、各ユーザエリア７０１〜７０４は、各収容孔３１Ａ〜３１Ｄの延在方向に存在するように名簿用紙７内に配置される。
【００８８】
（変形例４）
上記実施形態では、側壁に名簿用紙挿入孔３３を形成して名簿用紙７を挿入するようにしたが、この代わりに、収容孔３１が形成された上蓋部等を取り外れせるようにして、上から名簿用紙７を配置するようにしてもよい。
（変形例５）
上記した実施形態では、電子ペン、ドットパターン（コード化パターン）、記入情報に、アノト方式を用いていたが、アノト方式を用いることに限定はされない。
【００８９】
＜第２実施形態＞
次に、第２実施形態について説明する。図１８は、第２実施形態に係る電子ペン収容ユニット３Ｘに名簿用紙７が差し込まれる様子を示した図である。第２実施形態の電子ペン収容ユニット３Ｘは、収容された電子ペン１のペン先部１０３の位置を取っ手部３５０の操作により調整することが可能なペン先位置調整機構３５を備える点において、第１実施形態の電子ペン収容ユニット３と異なる。その他、第１実施形態と同様の部分については、同一の符号を付し、適宜その説明を省略する。
【００９０】
図１９は、図１８において矢印ＡＢにより示される電子ペン収容ユニット３ＸのＡＢ断面図を示す。図１９に示すように、ペン先位置調整機構３５は、取っ手部３５０と、接続部３５１と、ペン先部収容孔３５４が設けられた平板部３５２と、底面部３４０と平板部３５２との間に設けられたコイルバネ（弾性体）３５３とを備える。
【００９１】
取っ手部（つまみ）３５０は、接続部３５１を介して平板部３５２と接続し、ユーザが手により、矢印で示すＺ軸の上下方向に操作可能なインターフェースである。取っ手部３５０は、ユーザの操作により加わる圧力に基づき、接続部３５１及び平板部３５２と共に、Ｚ軸方向に移動する。
【００９２】
平板部３５２は、用紙配置部３４内に設けられ、各収容孔３１に収容された電子ペン１のペン先部１０３を支持する平板である。平板部３５２は、四隅にそれぞれ設けられたコイルバネ３５３によりＺ軸方向と垂直な平面（ＸＹ平面）と略平行に支持されている。平板部３５２には、各収容孔３１の延在方向に、それぞれペン先部収容孔３５４が設けられている。ペン先部収容孔３５４は、各収容孔３１に収容された電子ペン１のペン先部１０３を挟持する孔である。ペン先部収容孔３５４は、ペン先部１０３の形状に合わせてテーパー状に形成されている。そして、取っ手部３５０が操作されていない状態では、平板部３５２と底面部３４０との距離は、収容孔３１とペン先部収容孔３５４により電子ペン１が収容された状態であっても、電子ペン１のペン先部１０３が底面部３４０及び底面部３４０上に配置される名簿用紙７に接触しない距離に保たれる。
【００９３】
図２０は、電子ペン１が収容孔３１に収容され、かつ、名簿用紙７が底面部３４０上に配置された後、矢印「Ｚ１」の方向に取っ手部３５０に圧力が加わった場合の図１９に相当する電子ペン収容ユニット３の断面図を示す。
【００９４】
図２０に示すように、各収容孔３１に電子ペン１が収容され、かつ矢印「Ｚ１」の方向（即ち、Ｚ軸負方向）へ取っ手部３５０に圧力が加わった場合、取っ手部３５０と共に平板部３５２がＺ軸負方向へ移動する。その結果、各電子ペン１のペン先部１０３は、底面部３４０上の名簿用紙７と接触する。これにより、各電子ペン１と接触した名簿用紙７の各ユーザエリア７０１〜７０４に対応する座標情報及びペンＩＤを含む記入情報が各電子ペン１からコンピュータ装置２へ送信される。そして、コンピュータ装置２は、受信した記入情報に基づき、記入情報中のペンＩＤをユーザ定義情報のユーザＩＤに関連付ける。
【００９５】
［第２実施形態の作用効果］
第２実施形態の電子ペンシステム１０によれば、電子ペン収容ユニット３Ｘは、収容孔３１に収容された電子ペン１のペン先部１０３の位置を手動により調整可能なペン先位置調整機構３５を備える。これにより、電子ペンシステム１０は、ユーザの任意のタイミングに基づき、電子ペン収容ユニット３Ｘに収容された電子ペン１のペンＩＤをユーザＩＤに関連付けることができる。従って、第２実施形態によれば、ユーザが電子ペン１を収容すべき収容孔３１を間違えて他の収容孔３１に自己の電子ペン１を収容した場合であっても、一つのペンＩＤを複数のユーザＩＤに重複して関連付けられたり、あるペンＩＤがどのユーザＩＤにも対応しなくなるように関連付けられるのを抑制することができる。
【００９６】
［第２実施形態の変形例］
次に、第２実施形態の変形例について説明する。第２実施形態では、第１実施形態の変形例１〜５及び以下に述べる変形例６を任意に組み合わせて適用可能である。
【００９７】
（変形例６）
本考案に好適なペン先位置調整機構３５の構成は、図１９、２０等に示す構成に限定されない。そこで、図２１（Ａ）、（Ｂ）を参照して、他の２つの具体例（第１構成例、第２構成例）について詳しく説明する。後述するように、第１構成例及び第２構成例は、取っ手部３５０が操作された際に、平板部３５２をＺ軸方向へ平行移動させることで、収容孔３１に収容された電子ペン１の全てのペン先部１０３を確実に名簿用紙７の各ユーザエリア７０１〜７０４に接触させるものである。
【００９８】
図２１（Ａ）は、第１構成例において、コイルバネ３５３を通過するＹＺ面でのペン先調整機構３５Ａの断面図を示す。図２１（Ａ）に示すように、ペン先位置調整機構３５Ａには、底面部３４０に対して固定されたＺ軸方向に延在するガイド部３５５が設けられている。ガイド部３５５は、コイルバネ３５３ごとに設けられ、コイルバネ３５３が形成する螺旋の中心を通り、さらに、コイルバネ３５３の延在方向に存在する平板部３５２Ａの孔３５５を通る円柱状の部材である。
【００９９】
そして、第１構成例によれば、取っ手部３５０がＺ軸負方向に移動するように操作された場合に、平板部３５２は、ガイド部３５５に沿って平行移動する。従って、第１構成例のペン先位置調整機構３５Ａは、取っ手部３５０の操作時に平板部３５２が傾くことを防止し、収容孔３１に収容された電子ペン１の全てのペン先部１０３を確実に名簿用紙７の各ユーザエリア７０１〜７０４に接触させることができる。
【０１００】
図２１（Ｂ）は、第２構成例において、名簿用紙挿入孔３３を通過するＹＺ面での電子ペン収容ユニット３Ｙの断面図を示す。図２１（Ｂ）に示すように、第２構成例では、ペン先調整機構３５Ｙは、取っ手部３５０及び接続部３５１が取り付けられた平面板３５２の側面と反対側の側面に、取っ手部３５０Ａ及び接続部３５１Ａがさらに取り付けられている。そして、電子ペン収容ユニット３Ｙに収容された電子ペン１のペンＩＤをユーザＩＤと関連付ける場合には、操作者は、取っ手部３５０及び取っ手部３５０Ａを同時にＺ軸負方向に押し下げる。このようにすることにより、平板部３５２は、Ｚ軸負方向へ平行移動する。従って、第２構成例によっても、電子ペン収容ユニット３Ｙに収容された全ての電子ペン１のペン先部１０３を確実に名簿用紙７に接触させることができる。
【符号の説明】
【０１０１】
１（１Ａ〜１Ｄ）…電子ペン
２…コンピュータ装置
３、３Ｘ、３Ｙ…電子ペン収容ユニット
４…プロジェクタ
５（５Ａ〜５Ｄ）…解答用紙
６…スクリーン
１０…電子ペンシステム
２１…入力手段
２４…処理手段
２５…記憶手段
２６…表示手段
２７…送信手段
３１…収容孔
３２…ネームプレート
３３…名簿用紙挿入孔
３４…用紙配置部
３５、３５Ａ、３５Ｙ…ペン先位置調整機構
【図１】
0003171421.tif 000003
【図２】
0003171421.tif 000004
【図３】
0003171421.tif 000005
【図４】
0003171421.tif 000006
【図５】
0003171421.tif 000007
【図６】
0003171421.tif 000008
【図７】
0003171421.tif 000009
【図８】
0003171421.tif 000010
【図９】
0003171421.tif 000011
【図１０】
0003171421.tif 000012
【図１１】
0003171421.tif 000013
【図１２】
0003171421.tif 000014
【図１３】
0003171421.tif 000015
【図１４】
0003171421.tif 000016
【図１５】
0003171421.tif 000017
【図１６】
0003171421.tif 000018
【図１７】
0003171421.tif 000019
【図１８】
0003171421.tif 000020
【図１９】
0003171421.tif 000021
【図２０】
0003171421.tif 000022
【図２１】
0003171421.tif 000023